(57)【特許請求の範囲】
【請求項１】
フィルムキャパシタであって、
並列に接続された第１の群のキャパシタコアであって、第１の端面と第２の端面とを有する第１の群のキャパシタコアと、
並列に接続された第２の群のキャパシタコアであって、前記第１の群のキャパシタコアと直列に接続され、第３の端面と第４の端面とを有し、前記第３の端面が、前記第１の群のキャパシタコアの前記第１の端面に対向する第２の群のキャパシタコアとを含む複数のキャパシタコアと、
前記第１の群のキャパシタコアの前記第１の端面に接続された陽極バスバーと、
前記第２の群のキャパシタコアの前記第３の端面に接続された陰極バスバーと、
前記第１の群のキャパシタコアの前記第２の端面と、前記第２の群のキャパシタコアの前記第４の端面にそれぞれ接続された中間バスバーと、
前記陽極バスバーに接続された第１の接続シートと、
前記陰極バスバーに接続された第２の接続シートと、
前記中間バスバーに接続された第３の接続シートと、
を含むことを特徴とするフィルムキャパシタ。
【請求項２】
前記陽極バスバーに接続された第１の電極端子と、
前記陰極バスバーに接続された第２の電極端子と、
前記中間バスバーに接続された第３の電極端子とを更に含む請求項１に記載のフィルムキャパシタ。
【請求項３】
前記第１の電極端子と前記第２の電極端子とをそこから露出させるようになっている複数のリリーフホールが、前記中間バスバーに設けられている請求項２に記載のフィルムキャパシタ。
【請求項４】
ケーシングを更に含み、前記複数のキャパシタコアと、前記陽極バスバーと、前記陰極バスバーと、前記中間バスバーと、前記第１の接続シートと、前記第２の接続シートと、前記第３の接続シートとが、前記ケーシング内に配置され、ポッティング絶縁体によって封止される請求項１から３のいずれかに記載のフィルムキャパシタ。
【請求項５】
前記陽極バスバーと前記陰極バスバーとの間に位置する絶縁シートを更に含む請求項１から４のいずれかに記載のフィルムキャパシタ。
【請求項６】
前記中間バスバーが、実質的に反転したＵ字形であり、
２つの自由端と上部とを含み、
各自由端に前記第３の接続シートが設けられ且つ各自由端が前記第３の接続シートと一体に形成されており、
前記上部は、前記複数のキャパシタコアの上面の上方を覆う請求項１から５のいずれかに記載のフィルムキャパシタ。
【請求項７】
各群のキャパシタコアが、複数の行及び少なくとも１つの層として配列される請求項１から６のいずれかに記載のフィルムキャパシタ。
【請求項８】
各群のキャパシタコアが、複数の行及び２つの層として配列される請求項１から７のいずれかに記載のフィルムキャパシタ。
【請求項９】
前記第１の接続シートに、その周縁に第１の接続端子が設けられ、
前記第２の接続シートに、その周縁に第２の接続端子が設けられ、
前記第３の接続シートに、その周縁に第３の接続端子が設けられる請求項１から８のいずれかに記載のフィルムキャパシタ。
【請求項１０】
前記第１の接続端子と前記第１の接続シートとが一体に形成され、
前記第２の接続端子と前記第２の接続シートとが一体に形成され、
前記第３の接続端子と前記第３の接続シートとが一体に形成される請求項９に記載のフィルムキャパシタ。
【請求項１１】
前記第１の接続シートと前記陽極バスバーとが一体に形成され、
前記第２の接続シートと前記陰極バスバーとが一体に形成され、
前記第３の接続シートと前記中間バスバーとが一体に形成される請求項１から１０のいずれかに記載のフィルムキャパシタ。
【発明の詳細な説明】
【技術分野】
【０００１】
本開示は、キャパシタに関し、より詳細には、フィルムキャパシタに関する。
【背景技術】
【０００２】
金属化フィルムキャパシタなどのフィルムキャパシタは、低損失、高耐電圧、良好な温度特性、良好な周波数特性などの特性を有する。
【０００３】
関連技術における金属化フィルムキャパシタは、通常、別に設けることができるのみであり、非常に容量が低く、また、複数の金属化フィルムキャパシタは、複雑な構造を介して互いに接続されており、このことが、不便さの問題に至っている。
【発明の概要】
【発明が解決しようとする課題】
【０００４】
本開示は、前記問題点の少なくとも１つをある程度解決することを目的とする。
【０００５】
したがって、本開示の実施形態は、単純な構造を有し、組立てが容易なフィルムキャパシタを提供する。
【０００６】
本開示の実施形態に係るフィルムキャパシタは、並列に接続された第１の群のキャパシタコアであって、第１の端面と第２の端面とを有する第１の群のキャパシタコアと、並列に接続された第２の群のキャパシタコアであって、前記第１の群のキャパシタコアと直列に接続され、第３の端面と第４の端面とを有し、前記第３の端面が、前記第１の群のキャパシタコアの前記第１の端面に対向する第２の群のキャパシタコアとを含む複数のキャパシタコアと；前記第１の群のキャパシタコアの前記第１の端面に接続された陽極バスバーと；前記第２の群のキャパシタコアの前記第３の端面に接続された陰極バスバーと；前記第１の群のキャパシタコアの前記第２の端面と、前記第２の群のキャパシタコアの前記第４の端面にそれぞれ接続された中間バスバーと；前記陽極バスバーに接続された第１の接続シートと；前記陰極バスバーに接続された第２の接続シートと；前記中間バスバーに接続された第３の接続シートとを含む。
【０００７】
幾つかの実施形態においては、前記フィルムキャパシタは、前記陽極バスバーに接続された第１の電極端子と、前記陰極バスバーに接続された第２の電極端子と、前記中間バスバーに接続された第３の電極端子とを更に含む。
【０００８】
幾つかの実施形態においては、前記第１の電極端子と前記第２の電極端子とをそこから露出させるようになっている複数のリリーフホールが、前記中間バスバーに設けられている。
【０００９】
幾つかの実施形態においては、前記フィルムキャパシタは、ケーシングを更に含み、前記複数のキャパシタコアと、前記陽極バスバーと、前記陰極バスバーと、前記中間バスバーと、前記第１の接続シートと、前記第２の接続シートと、前記第３の接続シートとが、前記ケーシング内に配置され、ポッティング絶縁体によって封止される。
【００１０】
幾つかの実施形態においては、前記フィルムキャパシタは、前記陽極バスバーと前記陰極バスバーとの間に位置する絶縁シートを更に含む。
【００１１】
幾つかの実施形態においては、前記中間バスバーは、実質的に反転したＵ字形であり、２つの自由端と上部とを含み、各自由端に前記第３の接続シートが設けられ且つ各自由端が前記第３の接続シートと一体に形成されており、前記上部は、前記複数のキャパシタコアの上面の上方を覆う。
【００１２】
幾つかの実施形態においては、各群のキャパシタコアは、複数の行及び少なくとも１つの層として配列される。
【００１３】
幾つかの実施形態においては、各群のキャパシタコアは、複数の行及び２つの層として配列される。
【００１４】
幾つかの実施形態においては、前記第１の接続シートに、その周縁に第１の接続端子が設けられ、前記第２の接続シートに、その周縁に第２の接続端子が設けられ、前記第３の接続シートに、その周縁に第３の接続端子が設けられる。
【００１５】
幾つかの実施形態においては、前記第１の接続端子と前記第１の接続シートとが一体に形成され、前記第２の接続端子と前記第２の接続シートとが一体に形成され、前記第３の接続端子と前記第３の接続シートとが一体に形成される。
【００１６】
幾つかの実施形態においては、前記第１の接続シートと前記陽極バスバーとが一体に形成され、前記第２の接続シートと前記陰極バスバーとが一体に形成され、前記第３の接続シートと前記中間バスバーとが一体に形成される。
【００１７】
本開示の実施形態に係るフィルムキャパシタは、３レベルフィルムキャパシタである。複数のキャパシタコアが２つの群に分けられ、各群におけるキャパシタコアが陽極バスバー又は陰極バスバーを介してそれぞれ並列に接続され、２つの群が中間バスバーと第３の接続シートを通して互いに直列に接続される構造を提供することによって、フィルムキャパシタの構造を単純にすることができ、フィルムキャパシタの組立てが便利になり得る。更に、各群のキャパシタコアを容易に互いに直列に接続することができ、フィルムキャパシタの全体容量を改善することができる。前述の構造は、３レベルキャパシタに好適であり、広い応用を有する。
【００１８】
本開示の実施形態の更なる態様及び利点は、一部は以下の説明に記載され、一部は以下の説明から明らかとなり、又は本開示の実施形態の実施から理解されるであろう。
【００１９】
本開示の実施形態の前述及び他の態様及び利点は、添付の図面を参照しつつ記載される以下の説明から明らかとなり、一層容易に理解されるであろう。
【図面の簡単な説明】
【００２０】
【図１】図１は、本開示の実施形態に係るフィルムキャパシタの分解図である。
【図２】図２は、本開示の実施形態に係るフィルムキャパシタの模式組立図である。
【図３】図３は、本開示の実施形態に係る中間バスバーの模式図である。
【発明を実施するための形態】
【００２１】
本開示の実施形態を詳細に記述する。実施形態において、同一の若しくは類似の要素、及び同一の若しくは類似の機能を有する要素は、全体を通して同一の参照番号で表される。図面を参照して本明細書に記載される実施形態は、説明及び例示のためのものであり、本開示を一般的に理解するために使用される。これらの実施形態を、本開示を限定するものと解釈してはならない。
【００２２】
本明細書中において、「長さ」、「幅」、「厚み」、「上」、「下」、「前」、「後」、「左」、「右」、「垂直」、「水平」、「上部」、「底部」、「内側」、「外側」などの用語は、以下に記載するか又は図面に示される方向を指すものと解釈すべきであることを理解すべきである。これら相対的な用語は、説明の便宜のためのものであり、本開示は特定の位置で構成されたり動作したりする必要はない。更に、「第１」及び「第２」などの用語は、本明細書中では説明の目的で使用されるものであり、相対的な重要性若しくは意義を示す若しくは暗示する、又は言及されている技術的機構の数を暗示することを意図するものではない。このことから、「第１」及び「第２」によって表現される機構は、その機構を１超含むことがある。本開示の説明において、特段の断り又は限定のない限り、「複数の」とは、少なくとも２つ、例えば、２つ、３つ、などを意味する。
【００２３】
本開示の説明において、特段の断り又は限定のない限り、用語「マウントされる」、「支持される」、「接続される」、「連結される」及びそれらの派生語は、広く用いられ、例えば、機械的又は電気的マウンティング、接続、及び連結などを包含し、また、２つの部品の内部マウンティング、接続、及び連結であることができ、更に、直接及び間接マウンティング、接続、及び連結であることができ、当業者であれば、本開示の詳細な実施形態に応じて理解することができる。
【００２４】
以下、本開示の実施形態に係るフィルムキャパシタ１００について、図面を参照して説明する。
【００２５】
図１〜３に示されるように、本開示の実施形態に係るフィルムキャパシタ１００は、３レベルフィルムキャパシタであり、ケーシング１０と、複数のキャパシタコア６０と、陽極バスバー２０と、陰極バスバー３０と、中間バスバー４０と、陽極バスバー２０に接続される第１の接続シート２２と、陰極バスバー３０に接続される第２の接続シート３２と、中間バスバー４０に接続される第３の接続シートと、陽極バスバー２０に接続される第１の電極端子２１と、陰極バスバー３０に接続される第２の電極端子３１と、中間バスバー４０に接続される第３の電極端子４１とを含む。
【００２６】
具体的には、ケーシング１０は、開放された上端を有し、複数のキャパシタコア６０、陽極バスバー２０、陰極バスバー３０、中間バスバー４０、第１の接続シート２２、第２の接続シート３２、及び第３の接続シート４２が、ケーシング１０内に配置され、ポッティング絶縁体によって封止される。
【００２７】
複数のキャパシタコア６０は、第１の群のキャパシタコア６１と第２の群のキャパシタコア６２とを含む。第１の群のキャパシタコア６１は、並列に接続されており、第１の端面と第２の端面とを有する。第２の群のキャパシタコア６２は、並列に接続されており、第３の端面と第４の端面とを有する。第２の群のキャパシタコア６２は、第１の群のキャパシタコア６１と直列に接続されている。第２の群のキャパシタコア６２の第３の端面は、第１の群のキャパシタコア６１の第１の端面と対向している。
【００２８】
各キャパシタコア６０は、陽極と陰極とを有する。第１の群のキャパシタコア６１の陽極は、第１の端面に配置される陽極バスバー２０と第１の接続シート２２を介して並列に接続される。第２の群のキャパシタコア６２の陰極は、第３の端面に配置される陰極バスバー３０と第２の接続シート３２を介して並列に接続される。第１の群のキャパシタコア６１の陰極は、中間バスバー４０と第３の接続シート４２を介して、第２の群のキャパシタコア６２の陽極と直列に接続され、中間バスバー４０と第３の接続シート４２は、第１の群のキャパシタコア６１の第２の端面と、第２の群のキャパシタコア６２の第４の端面の両方にそれぞれ配置される。
【００２９】
第１の電極端子２１と第２の電極端子３１とをそこから露出させるようになっている複数のリリーフホール４３が、中間バスバー４０に設けられている。したがって、第１の電極端子２１と第２の電極端子３１は、リリーフホール４３を通ることができ、外部コンポーネントに接続することができる。幾つかの実施形態においては、中間バスバー４０は、ケーシング１０の開放された上端で２つの群のキャパシタコアに接続される。即ち、２つの群のキャパシタコアは、中間バスバー４０を介して互いに電気的に接続され、中間バスバー４０は、ケーシング１０の開放された上端に位置する。
【００３０】
言い換えると、図１に示されるように、ケーシング１０の上端は開放されており、ケーシング１０は、その中にチャンバを有する。そして、複数のキャパシタコア６０、陽極バスバー２０、陰極バスバー３０、中間バスバー４０、第１の接続シート２２、第２の接続シート３２、及び第３の接続シート４２が、チャンバ内に配置され、ポッティング絶縁体によって封止される。
【００３１】
複数のキャパシタコア６０は、前後方向に第１の群のキャパシタコア６１と第２の群のキャパシタコア６２とを含む。幾つかの実施形態においては、第１の群のキャパシタコア６１の後方端面（即ち、第１の端面）は、第２の群のキャパシタコア６２の前方端面（即ち、第３の端面）に対向している。陽極バスバー２０は、第１の群のキャパシタコア６１の後方端面に配置される。並列に接続される複数の第１の接続シート２２が陽極バスバー２０に設けられ、複数の第１の接続シート２２のそれぞれは、第１の群のキャパシタコア６１の後方端面にそれぞれ接続される。
【００３２】
陰極バスバー３０は、第２の群のキャパシタコア６２の前方端面に配置され、絶縁シート５０を介して陽極バスバー２０から絶縁される。並列に接続される複数の第２の接続シート３２が陰極バスバー３０に設けられ、複数の第２の接続シート３２のそれぞれは、第２の群のキャパシタコア６２の前方端面にそれぞれ接続される。
【００３３】
中間バスバー４０は、複数のキャパシタコア６０の上方に配置される。中間バスバー４０の前方及び後方サイドエッジのそれぞれに、第３の接続シート４２がそれぞれ設けられている。
【００３４】
幾つかの実施形態においては、複数の第３の接続シート４２は、中間バスバー４０の前方サイドエッジに設けられ、第１の群のキャパシタコア６１の前方端面（即ち、第２の端面）とケーシング１０の前壁との間に位置し、第１の群のキャパシタコア６１の前方端面にそれぞれ接続される。
【００３５】
幾つかの実施形態においては、複数の第３の接続シート４２は、中間バスバー４０の後方サイドエッジに設けられ、第２の群のキャパシタコア６２の後方端面（即ち、第４の端面）とケーシング１０の後壁との間に位置し、第２の群のキャパシタコア６２の後方端面にそれぞれ接続される。
【００３６】
したがって、本開示の実施形態に係るフィルムキャパシタ１００では、複数のキャパシタコア６０が２つの群に分けられ、各群におけるキャパシタコアが、陽極バスバー２０又は陰極バスバー３０を介してそれぞれ並列に接続され、これらの２つの群は、中間バスバー４０と第３の接続シート４２を通して互いに直列に接続され、フィルムキャパシタ１００の構造を単純化することができ、その組立てが便利になり得る。更に、複数のキャパシタコア６０は、容易に互いに直列に接続でき、フィルムキャパシタ１００の全体容量を改善することができる。上述の構造は、３レベルキャパシタに好適であり、広い応用を有する。
【００３７】
図３に示されるように、一実施形態においては、中間バスバー４０は、実質的に反転したＵ字形であり、上部と２つの自由端とを含む。２つの自由端のそれぞれに、複数の第３の接続シート４２が設けられ且つ一体に形成されており、上部は、複数のキャパシタコア６０の上面の上方を覆う。
【００３８】
これは、中間バスバー４０の前方及び後方サイドエッジの両方に配置される第３の接続シート４２が、中間バスバー４０と一体に形成されることを意味する。そして、中間バスバー４０は、複数のキャパシタコア６０の上面を覆い、ケーシング１０の開放された上端を封止する。第１の電極端子２１と第２の電極端子３１とをそこから露出させるようになっている複数のリリーフホール４３と、第３の電極端子４１とが、中間バスバー４０に設けられている。したがって、図３に示されるように、第１の電極端子２１と第２の電極端子３１は、リリーフホール４３を通ることができ、外部コンポーネントに接続することができる。そのため、中間バスバー４０は、合理的な構造を有し、成型及び組立てが容易であり、これにより、製造コストを低減することができる。
【００３９】
複数のキャパシタコア６０は、３レベル構造の要件に従って配列することができる。或いは、図１に示されるように、複数のキャパシタコア６０の各群（即ち、第１の群のキャパシタコア６１と第２の群のキャパシタコア６２）は、複数の行及び少なくとも１つの層として配列される。幾つかの実施形態においては、複数のキャパシタコア６０は、２つの群（即ち、第１の群のキャパシタコア６１及び第２の群のキャパシタコア６２）として配列され、複数のキャパシタコア６０の各群は、複数の行及び２つの層として配列される。そのため、複数のキャパシタコア６０は、合理的な構造を有し、組立てが容易であり、フィルムキャパシタ１００の全体容量が更に改善される。
【００４０】
幾つかの実施形態においては、第１の接続シート２２に、その周縁に第１の接続端子２２１が設けられ、第２の接続シート３２に、その周縁に第２の接続端子が設けられ、第３の接続シート４２に、その周縁に第３の接続端子４２１が設けられる。好ましくは、複数の第１の接続端子２２１が設けられ、第１の接続シート２２の周縁に配置され、互いに離間される。複数の第２の接続端子が設けられ、第２の接続シート３２の周縁に配置され、互いに離間される。複数の第３の接続端子４２１が設けられ、第３の接続シート４２の周縁に配置され、互いに離間される。
【００４１】
言い換えると、複数の第１の接続端子２２１が第１の接続シート２２の周縁に配置され、複数の第２の接続端子が第２の接続シート３２の周縁に配置され、複数の第３の接続端子４２１が第３の接続シート４２の周縁に配置される。第１の接続シート２２、第２の接続シート３２、及び第３の接続シート４２は、各接続端子を通して対応するキャパシタコア６０に溶接によって接続でき、これは、溶接の自動化に便利であり、製品品質及び組立て効率を効果的に改善する。
【００４２】
幾つかの実施形態においては、第１の接続端子２２１と第１の接続シート２２とが一体に形成され、第２の接続端子と第２の接続シート３２とが一体に形成され、第３の接続端子４２１と第３の接続シート４２とが一体に形成される。幾つかの実施形態においては、第１の接続シート２２と陽極バスバー２０とが一体に形成され、第２の接続シート３２と陰極バスバー３０とが一体に形成され、第３の接続シート４２と中間バスバー４０とが一体に形成される。
【００４３】
言い換えると、本開示の実施形態によれば、第１の接続シート２２、第１の接続端子２２１、及び陽極バスバー２０が一体に形成され、第２の接続シート３２、第２の接続端子、及び陰極バスバー３０が一体に形成され、第３の接続シート４２、第３の接続端子４２１、及び中間バスバー４０が一体に形成される。したがって、この構造は、フィルムキャパシタ１００の全体構造の安定性を保証し、成型及び組立てが容易であり、これは、製造コストを更に低減すると同時に組立て効率を改善する。
【００４４】
本開示の実施形態に係るフィルムキャパシタ１００の他の構造及び機能は、当業者に知られているので、本明細書では詳細に記載しない。
【００４５】
本明細書を通じて、「一実施形態」、「幾つかの実施形態」、「実施形態」、「具体例」、又は「幾つかの例」に対する言及は、その実施形態又は例に関して説明される特定の機構、構造、材料、又は特徴が、本開示の少なくとも１つの実施形態又は例に含まれることを意味する。したがって、本明細書を通じて、様々な箇所における、これらの表現の出現は、必ずしも本開示の同一の実施形態又は例に言及するものではない。更に、特定の機構、構造、材料、又は特徴は、１以上の実施形態又は例において任意の好適な様式で組み合わせることができる。
【００４６】
説明のための実施形態を示して説明してきたが、前記実施形態は説明的なものであり、本開示を限定するものと解釈することはできず、当業者であれば、これらの実施形態において、本開示の範囲から逸脱することなく変更、代替、及び修正を加えることができよう。
【符号の説明】
【００４７】
１００  フィルムキャパシタ
１０    ケーシング
２０    陽極バスバー
２１    第１の電極端子
２２    第１の接続シート
２２１  第１の接続端子
３０    陰極バスバー
３１    第２の電極端子
３２    第２の接続シート
４０    中間バスバー
４１    第３の電極端子
４２    第３の接続シート
４２１  第３の接続端子
４３    リリーフホール
５０    絶縁シート
６０    キャパシタコア
６１    第１の群のキャパシタコア
６２    第２の群のキャパシタコア
【図１】
0006330110.tif 000002
【図２】
0006330110.tif 000003
【図３】
0006330110.tif 000004